(57)【要約】本出願の実施例は逆方向充電装置、逆方向充電電流調整方法及び装置に関し、端末技術分野に属する。前記逆方向充電装置はプロセッサ、ＳＤＰポート及び第一のリンクを備え、前記第一のリンクにＣＤＰインタフェースチップが設置され、ＯＴＧパッチコードがＳＤＰポートに差し込まれていることを検出した場合、前記プロセッサが前記第一のリンクを介して前記ＳＤＰポートに接続され、前記プロセッサとＣＤＰインタフェースチップと前記ＳＤＰポートとによりＣＤＰポートを構成し、前記ＣＤＰポート及び前記ＯＴＧパッチコードによって逆方向充電を行い、前記ＣＤＰポートの電流伝送能力が前記ＳＤＰポートよりも高い。【選択図】図２
2020530749.tif 000002
【特許請求の範囲】
【請求項１】
逆方向充電装置であって、プロセッサ、標準ダウンストリームポート（ＳＤＰ）及び第一のリンクを備え、前記第一のリンクに充電ダウンリンクストリームポート（ＣＤＰ）インタフェースチップが設置され、
可動式（ＯＴＧ）パッチコードがＳＤＰポートに差し込まれていることを検出した場合、前記プロセッサが第一のリンクを介して前記ＳＤＰポートに接続され、前記プロセッサとＣＤＰインタフェースチップと前記ＳＤＰポートとによりＣＤＰポートを構成し、前記ＣＤＰポート及び前記ＯＴＧパッチコードによって逆方向充電を行い、前記ＣＤＰポートの電流伝送能力が前記ＳＤＰポートよりも高い、前記逆方向充電装置。
【請求項２】
前記装置はさらに第二のリンクを備え、前記プロセッサが前記第二のリンクを介して前記ＳＤＰポートに接続され、確立された接続関係に基づいて順方向充電を行うことを特徴とする
請求項１に記載の装置。
【請求項３】
前記装置はさらに制御集積回路（ＩＣ）を備え、
逆方向充電過程において、前記制御ＩＣが逆方向充電電流の電流値を制御するように構成され、
順方向充電過程において、前記制御ＩＣが順方向充電電流の電流値を制御するように構成されることを特徴とする
請求項１に記載の装置。
【請求項４】
前記装置はさらに寄生ダイオードを備え、
順方向充電又は逆方向充電過程において、前記装置は、前記ＣＤＰインタフェースチップにプリセット電圧を供給することにより、前記寄生ダイオードを逆バイアスさせて切断することを特徴とする
請求項１−３のいずれか一項に記載の装置。
【請求項５】
逆方向充電電流調整方法であって、前記方法が逆方向充電装置を備えた第一の端末装置に適用され、前記方法は、
前記ＯＴＧパッチコードによって第二の端末を逆方向充電する過程において、総電流値を取得し、前記総電流値が逆方向充電電流値と前記第一の端末内のアプリケーションプログラムが実行される時に消費した電流値を含むことと、
前記総電流値をバッテリの定格電流値と比較することと、
前記総電流値がプリセット期間内で常に前記定格電流値よりも大きい場合、前記逆方向充電電流値を小さくすることとを含む、前記逆方向充電電流調整方法。
【請求項６】
前記総電流値がプリセット期間内で常に前記定格電流値よりも大きい場合、前記逆方向充電電流値を小さくすることは、
前記総電流値が第一のプリセット期間内で常に前記定格電流値よりも大きい場合、前記逆方向充電電流値を第一の電流値から第二の電流値に小さくし、前記第一の電流値が前記第二の端末を逆方向充電する初期電流値であり、前記第一の電流値が前記第二の電流値より大きいことを含むことを特徴とする
請求項５に記載の方法。
【請求項７】
前記逆方向充電電流値を第一の電流値から第二の電流値に小さくした後、さらに、
前記総電流値が第二のプリセット期間内で常に前記定格電流値よりも大きい場合、前記逆方向充電電流値を第二の電流値から第三の電流値に小さくし、前記第二の電流値が前記第三の電流値より大きいことを含むことを特徴とする
請求項６に記載の方法。
【請求項８】
前記逆方向充電電流値を第二の電流値から第三の電流値に小さくした後、さらに、
前記総電流値が第三のプリセット期間内で常に前記定格電流値よりも大きい場合、前記第二の端末への逆方向充電を停止することを含むことを特徴とする
請求項７に記載の方法。
【請求項９】
前記逆方向充電電流値を小さくした後、さらに、
前記総電流値が第四のプリセット期間内で、常に指定された電流値よりも小さいことを検出した場合、第一の電流値を使用して前記第二の端末を逆方向充電し、前記第一の電流値が前記第二の端末を逆方向充電する初期電流値であることを含むことを特徴とする
請求項５−８のいずれか一項に記載の方法。
【請求項１０】
前記逆方向充電電流値を小さくした後、さらに、
前記ＯＴＧパッチコードに対する一回の抜差し操作が検出された場合、第一の電流値を使用して前記第二の端末を逆方向充電し、前記第一の電流値が前記第二の端末を逆方向充電する初期電流値であることを含むことを特徴とする
請求項５−８のいずれか一項に記載の方法。
【請求項１１】
逆方向充電電流調整装置であって、逆方向充電装置を備えた第一の端末に設置され、前記装置は、
前記可動式（ＯＴＧ）パッチコードによって第二の端末を逆方向充電する過程において、総電流値を取得するように構成され、総電流値が逆方向充電電流値と前記第一の端末内のアプリケーションプログラムが実行される時に消費した電流値を含む取得モジュールと、
前記総電流値をバッテリの定格電流値と比較するように構成される比較モジュールと、
前記総電流値がプリセット期間内で常に前記定格電流値よりも大きい場合、前記逆方向充電電流値を小さくするように構成される調整モジュールとを備える、前記逆方向充電電流調整装置。
【請求項１２】
前記調整モジュールは、前記総電流値が第一のプリセット期間内で常に前記定格電流値よりも大きい場合、前記逆方向充電電流値を第一の電流値から第二の電流値に小さくするように構成され、前記第一の電流値が前記第二の端末を逆方向充電する初期電流値であり、前記第一の電流値が前記第二の電流値より大きい。
【請求項１３】
前記調整モジュールはさらに前記総電流値が第二のプリセット期間内で常に前記定格電流値より大きい場合、前記逆方向充電電流値を第二の電流値から第三の電流値に小さくするように構成され、前記第二の電流値が前記第三の電流値より大きいことを特徴とする
請求項１２に記載の装置。
【請求項１４】
前記調整モジュールはさらに前記総電流値が第三のプリセット期間内で常に前記定格電流値より大きい場合、前記第二の端末への逆方向充電を停止するように構成されることを含むことを特徴とする
請求項１３に記載の装置。
【請求項１５】
前記調整モジュールはさらに前記総電流値が第四のプリセット期間内で、常に指定された電流値よりも小さいことを検出した場合、第一の電流値を使用して前記第二の端末を逆方向充電するように構成され、前記第一の電流値が前記第二の端末を逆方向充電する初期電流値であることを特徴とする
請求項１１−１４のいずれか一項に記載の装置。
【請求項１６】
前記調整モジュールはさらに前記ＯＴＧパッチコードに対する一回の抜差し操作が検出された場合、第一の電流値を使用して前記第二の端末を逆方向充電するように構成され、前記第一の電流値が前記第二の端末を逆方向充電する初期電流値であることを特徴とする
請求項１１−１４のいずれか一項に記載の装置。
【請求項１７】
逆方向充電電流調整装置であって、
プロセッサと、
プロセッサで実行可能な命令を記憶するように構成されるメモリとを備え、
ここで、前記プロセッサは、
可動式（ＯＴＧ）パッチコードによって第二の端末を逆方向充電する過程において、総電流値を取得し、前記総電流値が逆方向充電電流値と前記第一の端末内のアプリケーションプログラムが実行される時に消費した電流値を含み、
前記総電流値をバッテリの定格電流値と比較し、
前記総電流値がプリセット期間内で常に前記定格電流値よりも大きい場合、前記逆方向充電電流値を小さくするように構成される、前記逆方向充電電流調整装置。
【発明の詳細な説明】
【技術分野】
【０００１】
関連出願への相互参照
本出願は出願番号が２０１８１０７８６２７３．１であり、出願日が２０１８年７月１７日である中国特許出願に基づいて提出され、該中国特許出願の先行出願優先権を主張し、該中国特許出願の全ての内容は参照により本明細書に組み込まれる。
【０００２】
本開示は端末技術分野に関し、特に逆方向充電装置、逆方向充電電流調整方法及び装置に関する。
【背景技術】
【０００３】
現代社会では、携帯電話は人々の生活の中で欠かせないものとなっている。使用時間長の増加に伴い、携帯電話のバッテリの電気量が少なくなり、そのため携帯電話を充電する必要がある。しかしながら、多くの場合、例えばユーザがコーヒーショップでコーヒーを飲んだり、公共交通機関を利用したりする場合、ユーザは充電器を使用して携帯電話を適時に充電することができない。この時に、ユーザは他の携帯電話又はタブレットで該携帯電話を逆方向充電することができる。
【０００４】
現在、市場で販売される大部分の携帯電話はＳＤＰ（標準ダウンストリームポート：Ｓｔａｎｄａｒｄ  Ｄｏｗｎｓｔｒｅａｍ  Ｐｏｒｔ）携帯電話であり、即ちデータポートがＳＤＰポートである携帯電話であり、ＳＤＰポート通信プロトコルの制限を受け、ＯＴＧ（可動式：Ｏｎ−Ｔｈｅ−Ｇｏ）パッチコードを使用して２つのＳＤＰ携帯電話を接続する場合、２つの携帯電話間の逆方向充電電流が最大５００ｍＡだけであるため、充電速度が遅く、ユーザの急速充電のニーズを満たすことは困難である。
【発明の概要】
【発明が解決しようとする課題】
【０００５】
関連技術の問題を克服するために、本開示は逆方向充電装置、逆方向充電電流調整方法及び装置を提供する。
【課題を解決するための手段】
【０００６】
本開示の実施例の第一の態様による逆方向充電装置は、プロセッサ、標準ダウンストリームポート（ＳＤＰ）及び第一のリンクを備え、前記第一のリンクにＣＤＰ（充電ダウンリンクストリームポート：Ｃｈａｒｇｉｎｇ  Ｄｏｗｎｓｔｒｅａｍ  Ｐｏｒｔ）インタフェースチップが設置され、
可動式（ＯＴＧ）パッチコードがＳＤＰポートに差し込まれていることを検出した場合、前記プロセッサが第一のリンクを介して前記ＳＤＰポートに接続され、前記プロセッサとＣＤＰインタフェースチップと前記ＳＤＰポートとによりＣＤＰポートを構成し、前記ＣＤＰポート及び前記ＯＴＧパッチコードによって逆方向充電を行い、前記ＣＤＰポートの電流伝送能力が前記ＳＤＰポートよりも高い。
【０００７】
本開示の別の実施例では、前記装置はさらに第二のリンクを備え、前記プロセッサが前記第二のリンクを介して前記ＳＤＰポートに接続され、確立された接続関係に基づいて順方向充電を行う。
【０００８】
本開示の別の実施例では、前記装置はさらに制御ＩＣ（集積回路：Ｉｎｔｅｇｒａｔｅｄ  Ｃｉｒｃｕｉｔ）を備え、
逆方向充電過程において、前記制御ＩＣが逆方向充電電流の電流値を制御するように構成され、
順方向充電過程において、前記制御ＩＣが順方向充電電流の電流値を制御するように構成される。
【０００９】
本開示の別の一つの実施例では、前記装置はさらに寄生ダイオードを備え、
順方向充電又は逆方向充電過程において、前記装置は前記ＣＤＰインタフェースチップにプリセット電圧を供給することにより、前記寄生ダイオードを逆バイアスさせて切断する。
【００１０】
本開示の実施例の第二の態様による逆方向充電電流調整方法は逆方向充電装置を備えた第一の端末装置に配置され、前記方法は、
前記ＯＴＧパッチコードによって第二の端末を逆方向充電する過程において、総電流値を取得し、前記総電流値が逆方向充電電流値と前記第一の端末内のアプリケーションプログラムが実行される時に消費した電流値を含むことと、
前記総電流値をバッテリの定格電流値と比較することと、
前記総電流値がプリセット期間内で常に前記定格電流値よりも大きい場合、前記逆方向充電電流値を小さくすることとを含む。
【００１１】
本開示の別の実施例では、前記総電流値がプリセット期間内で常に前記定格電流値よりも大きい場合、前記逆方向充電電流値を小さくすることは、
前記総電流値が第一のプリセット期間内で常に前記定格電流値よりも大きい場合、前記逆方向充電電流値を第一の電流値から第二の電流値に小さくし、前記第一の電流値が前記第二の端末を逆方向充電する初期電流値であり、前記第一の電流値が前記第二の電流値より大きいことを含む。
【００１２】
本開示の別の実施例では、前記逆方向充電電流値を第一の電流値から第二の電流値に小さくした後、さらに、
前記総電流値が第二のプリセット期間内で常に前記定格電流値よりも大きい場合、前記逆方向充電電流値を第二の電流値から第三の電流値に小さくし、前記第二の電流値が前記第三の電流値より大きいことを含む。
【００１３】
本開示の別の実施例では、前記逆方向充電電流値を第二の電流値から第三の電流値に小さくした後、さらに、
前記総電流値が第三のプリセット期間内で常に前記定格電流値よりも大きい場合、前記第二の端末への逆方向充電を停止することを含む。
【００１４】
本開示の別の実施例では、前記逆方向充電電流値を小さくした後、さらに、
前記総電流値が第四のプリセット期間内で、常に指定された電流値よりも小さい場合、第一の電流値を使用して前記第二の端末を逆方向充電し、前記第一の電流値が前記第二の端末を逆方向充電する初期電流値であることを含む。
【００１５】
本開示の別の実施例では、前記逆方向充電電流値を小さくした後、さらに、
前記ＯＴＧパッチコードに対する一回の抜差し操作が検出された場合、第一の電流値を使用して前記第二の端末を逆方向充電し、前記第一の電流値が前記第二の端末を逆方向充電する初期電流値であることを含む。
【００１６】
本開示の実施例の第三の態様による逆方向充電電流調整装置は逆方向充電装置を備えた第一の端末に設置され、前記装置は、
前記ＯＴＧパッチコードによって第二の端末を逆方向充電する過程において、総電流値を取得するように構成され、総電流値が逆方向充電電流値と前記第一の端末内のアプリケーションプログラムが実行される時に消費した電流値を含む取得モジュールと、
前記総電流値をバッテリの定格電流値と比較するように構成される比較モジュールと、
前記総電流値がプリセット期間内で常に前記定格電流値よりも大きい場合、前記逆方向充電電流値を小さくするように構成される調整モジュールとを備える。
【００１７】
本開示の別の実施例では、前記調整モジュールは、前記総電流値が第一のプリセット期間内で常に前記定格電流値よりも大きい場合、前記逆方向充電電流値を第一の電流値から第二の電流値に小さくするように構成され、前記第一の電流値が前記第二の端末を逆方向充電する初期電流値であり、前記第一の電流値が前記第二の電流値より大きい。
【００１８】
本開示の別の実施例では、前記調整モジュールはさらに前記総電流値が第二のプリセット期間内で常に前記定格電流値よりも大きい場合、前記逆方向充電電流値を第二の電流値から第三の電流値に小さくするように構成され、前記第二の電流値が前記第三の電流値より大きい。
【００１９】
本開示の別の実施例では、前記調整モジュールはさらに前記総電流値が第三のプリセット期間内で常に前記定格電流値よりも大きい場合、前記第二の端末への逆方向充電を停止するように構成される。
【００２０】
本開示の別の実施例では、前記調整モジュールはさらに前記総電流値が第四のプリセット期間内で、常に指定された電流値よりも小さい場合、第一の電流値を使用して前記第二の端末を逆方向充電するように構成され、前記第一の電流値が前記第二の端末を逆方向充電する初期電流値である。
【００２１】
本開示の別の実施例では、前記調整モジュールはさらに前記ＯＴＧパッチコードに対する一回の抜差し操作が検出された場合、第一の電流値を使用して前記第二の端末を逆方向充電するように構成され、前記第一の電流値が前記第二の端末を逆方向充電する初期電流値である。
【００２２】
本開示の実施例の第四の態様による逆方向充電電流調整装置は、
プロセッサと、
プロセッサで実行可能な命令を記憶するように構成されるメモリとを備え、
ここで、前記プロセッサは、
可動式（ＯＴＧ）パッチコードによって第二の端末を逆方向充電する過程において、総電流値を取得するように構成され、前記総電流値が逆方向充電電流値と前記第一の端末内のアプリケーションプログラムが実行される時に消費した電流値を含み、
前記総電流値をバッテリの定格電流値と比較し、
前記総電流値がプリセット期間内で常に前記定格電流値よりも大きい場合、前記逆方向充電電流値を小さくするように構成される。
【００２３】
本開示の実施例による技術的解決策は、下記の有益な効果を奏する。
【００２４】
第一のリンクにＣＤＰインタフェースチップを設置することにより、ＯＴＧパッチコードがＳＤＰポートに差し込まれている時に、プロセッサ、ＣＤＰインタフェースチップ及びＳＤＰポートが連携してＣＤＰポートを構成する。ＣＤＰポートの電流伝送能力がＳＤＰポートよりも高いため、出力された逆方向電流は従来の逆充電装置よりも大きい。
【００２５】
理解すべきものとして、以上の一般的な説明及び以下の詳細な説明は、例示的かつ説明的なものだけであり、本開示の実施例を限定することができない。
【図面の簡単な説明】
【００２６】
【図１】一つの例示的な実施例による逆方向充電装置の構造図である。
【図２】一つの例示的な実施例による逆方向充電電流調整方法のフローチャートである。
【図３】一つの例示的な実施例による逆方向充電電流調整方法のフローチャートである。
【図４】一つの例示的な実施例による逆方向充電電流調整プロセスのフローチャートである。
【図５】一つの例示的な実施例による逆方向充電電流調整装置のブロック図である。
【図６】一つの例示的な実施例による逆方向充電電流調整装置のブロック図である。
【発明を実施するための形態】
【００２７】
ここでの図面は本明細書に組み込まれてその一部を構成し、本開示に該当する実施例を示し、そして明細書と共に本開示の実施例の原理を解釈することに用いられる。
【００２８】
ここで例示的な実施例を詳細に説明し、その例が図面に示される。以下の説明が図面に関する場合、特に明記しない限り、異なる図面における同じ数字が同一又は類似の要素を指す。以下の例示的な実施例に記載される実施形態は本開示の実施形態と一致する全ての実施形態を表すものではない。逆に、それらは、添付の特許請求の範囲に詳細に説明される、本開示の実施例のいくつかの態様と一致する装置及び方法の例だけである。
【００２９】
本開示の実施例で逆方向充電装置が提供され、図１を参照すると、該装置はプロセッサ、ＳＤＰポート及び第一のリンクを備える。
【００３０】
ここで、プロセッサのＤ＋ラインとＤ−ラインはそれぞれ第一のリンクの１Ｄ＋ラインと１Ｄ−ラインに接続され、第一のリンクの１Ｄ＋ラインと１Ｄ−ラインがスイッチを介してＳＤＰポートに接続される。第一のリンクにＣＤＰインタフェースチップが設置され、該ＣＤＰインタフェースチップがＴＰＳ２５４７などであってもよい。
【００３１】
逆方向充電装置における各部材の機能は以下の通りである：
プロセッサはバッテリの順方向充電及び逆方向充電を制御するように構成され、ＳＤＰポートに差し込まれたデータ線がＯＴＧパッチコードであることを検出した場合、プロセッサはＯＴＧパッチコードで逆方向充電を行うように逆方向充電装置を制御し、ＳＤＰポートに差し込まれたデータ線がＵＳＢ（ユニバーサルシリアルバス：Ｕｎｉｖｅｒｓａｌ  Ｓｅｒｉａｌ  Ｂｕｓ）データ線（Ｔｙｐｅ−ＡからＴａｙｐｅ−Ｂへの変換のためのデータ線）であることを検出した場合、プロセッサは該ＵＳＢデータ線で順方向充電を行うように逆方向充電装置を制御する。
【００３２】
第一のリンクは逆方向充電回路であり、逆充電過程に電流伝送パスを確立するように構成される。
【００３３】
スイッチはプロセッサから送信された信号を受信した後、ＳＤＰポートに接続されたリンクを確定するように構成される。
【００３４】
ＳＤＰポートは一つの外部データポートであり、データ線の抜差しによって装置間の接続又は切断を実現する。
【００３５】
本開示の実施例では、ＯＴＧパッチコードがＳＤＰポートに差し込まれていることを検出した場合、プロセッサは第一のリンクを介してＳＤＰポートに接続され、プロセッサとＣＤＰインタフェースチップとＳＤＰポートとによりＣＤＰポートを構成し、そしてＣＤＰポート及びＯＴＧパッチコードで逆方向充電を行う。
【００３６】
ＳＤＰ通信プロトコルにおいてＳＤＰポートの最大伝送電流が５００ｍＡであることが規定され、ＣＤＰ通信プロトコルにおいてＣＤＰ最大伝送電流が１．５アンペアであることが規定されるため、ＣＤＰポートの電流伝送能力がＳＤＰポートよりも高く、本開示の実施例による逆方向充電装置を使用することにより、逆方向充電電流値を大幅に増大することができる。
【００３７】
本開示の別の実施例では、該装置はさらに第二のリンクを備える。該第二のリンクは充電回路であり、プロセッサのＤ＋ラインとＤ−ラインはそれぞれ第二のリンクの２Ｄ＋ラインと２Ｄ−ラインに接続され、第二のリンクの２Ｄ＋ラインと２Ｄ−ラインがスイッチを介してＳＤＰポートに接続される。プロセッサは第二のリンクを介してＳＤＰポートに接続され、確立された接続関係に基づいて順方向充電を行う。
【００３８】
本開示の別の実施例では、該装置はさらに制御ＩＣを備え、該制御ＩＣが順方向充電又は逆方向充電中に過電流保護を行うように構成される。例えば、逆方向充電過程において、制御ＩＣはＯＴＧ  ＩＣとして逆方向充電電流の電流値を制御するように構成され、順方向充電過程において、制御ＩＣはＣｈａｒｇｅ  ＩＣとして順方向充電電流の電流値を制御するように構成される。
【００３９】
本開示の別の実施例では、該装置はさらに寄生ダイオードを備え、該寄生ダイオードがプロセッサとＣＤＰインタフェースチップの間に位置し、プロセッサのＤ＋ラインとＤ−ラインの間の波形に影響を与え、順方向充電又は逆方向充電の電流値を小さくすることができる。順方向充電又は逆方向充電の電流値を増大するために、本開示の実施例は順方向充電又は逆方向充電過程において、ＵＳＢデータ線がＳＤＰポートに差し込まれ、又はＯＴＧデータ線がＳＤＰポートに差し込まれていることを検出した場合、逆方向充電装置はさらにＣＤＰインタフェースチップへ一つのプリセット電圧を供給し、該プリセット電圧が一般的に５Ｖである。逆方向充電装置はＣＤＰインタフェースチップにプリセット電圧を供給することにより、寄生ダイオードを逆方向バイアスさせて切断し、寄生ダイオードのコンデンサ影響を除去する。当然、ＵＳＢデータ線がＳＤＰポートに差し込まれることが検出されていない場合、又はＵＳＢデータ線がＳＤＰポートに差し込まれることが検出されていない場合、即ち通常の使用過程又は待機過程において、ＣＤＰインタフェースチップへのプリセット電圧の供給を停止し、電力消費を削減し、待機機能を最適化することができる。
【００４０】
本開示の実施例による装置では、第一のリンクにＣＤＰインタフェースチップを設置することにより、ＯＴＧパッチコードがＳＤＰポートに差し込まれている時に、プロセッサ、ＣＤＰインタフェースチップ及びＳＤＰポートが連携してＣＤＰポートを構成する。ＣＤＰポートの電流伝送能力がＳＤＰポートよりも高いため、出力された逆方向電流値は従来の逆方向充電装置よりも大きい。
【００４１】
図２は一つの例示的な実施例による逆方向充電電流調整方法のフローチャートである。図２に示すように、逆方向充電電流調整方法は逆方向充電装置を備えた第一の端末に配置され、以下のステップを含む。
【００４２】
ステップＳ２０１において、ＯＴＧパッチコードによって第二の端末を逆方向充電する過程において、総電流値を取得する。
【００４３】
ここで、総電流値は逆方向充電電流値と第一の端末内のアプリケーションプログラムが実行される時に消費した電流値を含む。
【００４４】
ステップＳ２０２において、総電流値をバッテリの定格電流値と比較する。
【００４５】
ステップＳ２０３において、総電流値がプリセット期間内で常に前記定格電流値よりも大きい場合、逆方向充電電流値を小さくする。
【００４６】
本開示の実施例による方法では、第二の端末を逆方向充電する過程において、第一の端末装置の総電流値をリアルタイムに取得し、総電流値とバッテリの定格電流値との関係に基づいて、逆方向充電電流を調整し、充電安全を確保しながらバッテリの耐用年数を延長する。
【００４７】
本開示の別の実施例では、総電流値がプリセット期間内で、常に定格電流値より大きい場合、逆方向充電電流値を小さくすることは、
総電流値が第一のプリセット期間内で、常に定格電流値より大きい場合、逆方向充電電流値を第一の電流値から第二の電流値に小さくし、第一の電流値が第二の端末を逆方向充電する初期電流値であり、第一の電流値が第二の電流値より大きいことを含む。
【００４８】
本開示の別の実施例では、逆方向充電電流値を第一の電流値から第二の電流値に小さくした後、さらに、
総電流値が第二のプリセット期間内で、常に定格電流値より大きい場合、逆方向充電電流値を第二の電流値から第三の電流値に小さくし、第二の電流値が第三の電流値より大きいことを含む。
【００４９】
本開示の別の実施例では、逆方向充電電流値を第二の電流値から第三の電流値に小さくした後、さらに、
総電流値が第三のプリセット期間内で、常に定格電流値より大きい場合、第二の端末への逆方向充電を停止することを含む。
【００５０】
本開示の別の実施例では、前記逆方向充電電流値を小さくした後、さらに、
総電流値が第四のプリセット期間内で、常に指定された電流値よりも小さい場合、第一の電流値を使用して第二の端末を逆方向充電し、第一の電流値が第二の端末を逆方向充電する初期電流値であることを含む。
【００５１】
本開示の別の実施例では、逆方向充電電流値を小さくした後、さらに、
ＯＴＧパッチコードに対する一回の抜差し操作が検出された場合、第一の電流値を使用して前記第二の端末を逆方向充電し、前記第一の電流値が前記第二の端末を逆方向充電する初期電流値であることを含む。
【００５２】
上述した全ての選択可能な技術的解決策では、任意の組み合わせを用いて本開示の選択可能な実施例を形成することができ、ここで説明を省略する。
【００５３】
図３は一つの例示的な実施例による逆方向充電電流調整方法のフローチャートである。図３に示すように、逆方向充電電流調整方法は逆方向充電装置を備えた第一の端末に配置され、以下のステップを含む。
【００５４】
ステップＳ３０１において、ＯＴＧパッチコードによって第二の端末を逆方向充電する過程において、第一の端末は総電流値を取得する。
【００５５】
ここで、第一の端末が充電携帯電話であり、第二の端末が被充電携帯電話であり、第一の端末と第二の端末が携帯電話、タブレット、ラップトップなどであってもよく、本開示の実施例は第一の端末と第二の端末の製品タイプを具体的に限定しない。第二の端末に対する充電ニーズを満たすために、第一の端末のバッテリは４０００ｍＡｈさらには５０００ｍＡｈ以上までの大容量を有する。
【００５６】
ＯＴＧパッチコードがＳＤＰポートに差し込まれていることを検出した場合、第一のリンクが閉回路状態にあり、第一の端末内のプロセッサ、ＣＰＤインタフェースチップとＳＤＰポートは連携してＣＤＰポートを構成する。第二の端末はＯＴＧパッチコードがＣＤＰポートに差し込まれていることを検出した場合、ＯＴＧパッチコードによって順方向充電を行い、第一の端末に対して、ＯＴＧパッチコードによって第二の端末を逆方向充電する。
【００５７】
説明すべきものとして、本開示の実施例は複数の電流値に関し、第一の端末が第二の端末を逆方向充電する初期電流を第一の電流値とし、該第一の電流値が一般的に１．５Ａであり、第一の電流値を小さくした後の電流値を第二の電流値とし、該第二の電流値が一般的に１Ａであり、第二の電流値を小さくした後の電流値を第三の電流値とし、該第三の電流値が一般的に０．７５Ａである。
【００５８】
第一の端末の回路内の総電流値が過大になることを避けるために、第一の端末内のバッテリ耐用年数を短縮し、さらにはバッテリを損傷することを回避し、第一の端末内のバッテリを保護するために、ＯＴＧパッチコードによって第二の端末を逆方向充電する過程において、第一の端末はさらにＡＤＣ（アナログデジタル変換器：Ａｎａｌｏｇ−ｔｏ−Ｄｉｇｉｔａｌ  Ｃｏｎｖｅｒｔｅｒ）により第一の端末内の総電流値を監視する。第一の端末内の総電流値を検出することにより、第一の端末内の総電流値を取得し、該総電流値が逆方向充電電流値と第一の端末内のアプリケーションプログラムが実行される時に消費した電流値を含む。例えば、逆方向充電電流値が１．５Ａであり、第一の端末内のアプリケーションプログラムが実行される時に消費した電流値が２Ａである場合、第一の端末内の総電流値は３．５Ａである。
【００５９】
具体的には、第一の端末は第一の端末内の総電流値を監視する時に、プリセット時間長ごとに検出することができ、リアルタイムに監視することもできる。ここで、プリセット時間長が１０秒、２０秒などであってもよい。エネルギーを節約するために、本開示の実施例ではプリセット時間長が１０秒に設定され、１０秒ごとに第一の端末内の総電流値を監視する。
【００６０】
ステップＳ３０２において、第一の端末は総電流値をバッテリの定格電流値と比較し、総電流値がプリセット期間内で、常に定格電流値より大きい場合、ステップＳ３０３を実行し、そうでない場合、ステップＳ３０４を実行する。
【００６１】
ここで、定格電流値がバッテリチップ規格書に規定された最大持続放電電流であり、回路の総電流値が該定格電流値より大きい場合、バッテリに安全上のリスクがある可能性があり、したがって、実際応用過程において、一般的に、回路の総電流値が該定格電流値を超えることができないことが要求される。該定格電流値はバッテリ自体の性能によって決定され、４Ａ、５Ａなどであってもよい。
【００６２】
ここで、プリセット期間は本開示の実施例における逆方向放電電流値制限の監視時間長であり、該プリセット期間はプリセット時間長の整数倍であり、１分間、２分間などであってもよい。例えば、プリセット時間長が１０秒である場合、該プリセット期間は１分間などである。逆方向放電電流値の監視状況に応じて、該プリセット期間は第一のプリセット期間、第二おプリセット期間、第三のプリセット期間などを含むことができ、該第一のプリセット期間が１回目の電流制限の監視時間長であり、第二のプリセット期間が２回目の電流制限の監視時間長であり、第三のプリセット期間が逆方向充電を停止するか否かを確定するための監視時間長である。
【００６３】
本開示の実施例では一つの総バッテリ値格納キューが維持され、該総バッテリ値格納キューは第一の端末の逆方向充電電流（即ち放電電流）のカーネル作業キューであり、毎回取得された総電流値を格納するように構成される。該総バッテリ値格納キューに基づき、第一の端末は総電流値の変化状況を迅速に統計することができ、本開示の実施例では、該格納キューがｉｂａｔキューとして表されてもよい。第一の端末は取得された総電流値を該ｉｂａｔキューに記憶する時に、取得時間の順番に従って、取得された総電流値をｉｂａｔキューに順次格納することができる。
【００６４】
取得された総電流値に基づき、本開示の一つの実施例において、第一の端末は総電流値をバッテリの定格電流値と直接比較することができ、総電流値がプリセット期間内で、常に定格電流値より大きい場合、ステップＳ３０３を実行し、そうでない場合、ステップＳ３０４を実行する。
【００６５】
本開示の別の実施例では、ＡＤＣに一定の誤差が存在することを考慮し、第一の端末内の電池をより良く保護するために、取得された総電流値に基づき、第一の端末は総電流値とプリセット電流を比較することができ、該プリセット電流値が定格電流値とＡＤＣの精度値に基づいて確定され、例えば、定格電流値が４．５５Ａであり、ＡＤＣの精度値が５０ｍＡである場合、プリセット電流値が４．５Ａであることを確定することができ、定格電流値が３．６２Ａであり、ＡＤＣの精度値が２０ｍＡである場合、プリセット電流値が３．６Ａであることを確定することができる。総電流値がプリセット期間内で、常にプリセット電流値よりも大きい場合、ステップＳ３０３を実行し、そうでない場合、ステップＳ３０４を実行する。
【００６６】
ステップＳ３０３において、第一の端末は逆方向充電電流値を小さくする。
【００６７】
１回目の電流制限監視を行う時に、総電流値が第一のプリセット期間内で、常に定格電流値より大きいため、バッテリの焼損を回避するために、第一の端末は逆方向充電電流値を第一の電流値から第二の電流値に小さくすることができる。ここで、該第一の電流値が第二の端末を逆方向充電する初期電流値であり、且つ第一の電流値が第二の電流値より大きい。例えば、第一のプリセット期間が１分間に設定され、ＯＴＧパッチコードによって第二の端末を逆方向充電する時に、第一の端末は第二の端末を逆方向充電する初期電流値が１．５Ａであり、逆方向充電過程において、第一の端末は総電流値を取得し、総電流を定格電流値と比較し、総電流値が１分間内で定格電流値よりも大きいため、電池を保護するために、第一の端末は逆方向充電電流値を小さくし、逆方向充電電流値から１．５Ａから１Ａに小さくする。
【００６８】
逆方向充電電流値を１回調整した後、第一の端末は回路の総電流値を監視し続け、総電流値が第二のプリセット期間内で常に定格電流値よりも大きいことを監視した場合、逆方向充電電流値を第二の電流値から第三の電流値に小さくする。ここで、第二の電流値が第三の電流値より大きい。例えば、第二のプリセット期間が２分間に設定され、１回目の電流制限により、第一の端末が逆方向充電電流値を１．５Ａから１Ａに小さくした場合、第一の端末は回路の総電流値を監視し続け、総電流値が２分間内で定格電流値よりも大きい場合、逆方向充電電流値を１Ａから０．７５Ａに小さくする。
【００６９】
逆方向充電電流を２回制限した後、第一の端末は回路の総電流値を監視し続け、総電流値が第三のプリセット期間内で、常に定格電流値より大きいことを監視した場合、第二の端末への逆方向充電を停止する。例えば、第三のプリセット期間が１分間に設定され、２回の電流制限により、第一の端末が逆方向充電電流値を０．７５Ａに小さくした場合、第一の端末は総電流値を監視し続け、総電流値が１分間内で定格電流値よりも大きい場合、バッテリを保護するために、第一の端末は第二の端末への逆方向充電を停止する。
【００７０】
説明すべきものとして、以上に総電流値を定格電流値と比較し、逆方向充電電流値を調整することを例とし、当然、第一の端末は総電流値とプリセット電流値を比較し、逆方向充電電流値を調整することもでき、具体的な比較及び調整プロセスについて、上記ステップＳ３０３を参照し、ここで説明を省略する。
【００７１】
ステップＳ３０４において、第一の端末は初期電流値を使用して第二の端末を逆方向充電する。
【００７２】
１回目の電流制限監視を行う時に、総電流値が定格電流値より大きい時間長が第一のプリセット期間より短く、又は、総電流値が第一のプリセット期間内で常に定格電流値よりも小さい場合、第一の端末は引き続き初期電流値を使用して第二の端末を逆方向充電し、第二の端末への充電の速度を上げる。
【００７３】
第二の端末を逆方向充電する逆方向充電電流値が制限された後、本開示の実施例における第一の端末はさらに逆方向充電電流値の回復機構を備え、該充電電流値の回復機構に基づき、逆方向充電電流値を初期電流値即ち第一の電流値に回復し、第二の端末への逆方向充電の充電速度を上げることができる。該逆方向充電電流値の回復機構原理は、ＯＴＧパッチコードによって第二の端末を逆方向充電する過程において、逆方向充電電流が少なくとも一回制限され、総電流値が第四のプリセット期間内で、常に指定された電流値よりも小さいことを検出した場合、第一の端末が第一の電流値を使用して第二の端末を逆方向充電することである。ここで、第四のプリセット期間がプリセット時間長の整数倍であり、１分間、２分間、３分間などであってもよい。指定された電流値が２．４Ａ、２．６Ａなどであってもよく、本開示の実施例では指定された電流値の大きさを具体的に限定するものではない。
【００７４】
逆方向充電過程において、第一の端末が少なくと一回制限されるため、逆方向充電電流値の回復タイミングは１回目の電流制限後又は２回目の電流制限後又は３回目の電流制限後などに位置してもよい。具体的には、逆方向充電電流が一回制限され、第一の端末が逆方向充電電流を第一の電流値から第二の電流値に小さくした後、第一の端末は総電流値を監視し続け、総電流値が第四のプリセット期間内で、常に指定された電流値よりも小さいことを監視した場合、第一の電流値を使用して第二の端末を逆方向充電し、又は、逆方向充電電流が２回制限され、第一の端末が逆方向充電電流を第二の電流値から第三の電流値に小さくした後、第一の端末は総電流値を監視し続け、総電流値が第四のプリセット期間内で、常に指定された電流値よりも小さいことを監視した場合、第一の電流値を使用して第二の端末を逆方向充電し、又は、第二の端末への逆方向充電を停止し、第一の端末が、総電流値が第四のプリセット期間内で、常に指定された電流値よりも小さいことを監視した場合、第一の電流値を使用して第二の端末を逆方向充電する。
【００７５】
実際には、第一の端末が第二の端末への最大電流出力能力を回復した後、最大出力電流値を使用して第二の端末を逆方向充電することができるかは、第二の端末が動的充電電力検出と回復機構をサポートするか否かに依存し、第二の端末が動的充電電力検出と回復機構をサポートする場合、最大出力電流値（即ち第一の電流値）を使用して第二の端末を逆方向充電することができ、第二の端末が動的充電電力検出と回復機構をサポートしない場合、電流制限後の逆方向充電電流値を使用して第二の端子を逆方向充電する。本開示の実施例では、電流制限後の最小逆方向充電電流値が０．７５Ａであり、該最小逆方向充電電流値が従来の５００ｍＡに対して依然として５０％高いため、第二の端末が動的充電電力検出と回復機構をサポートするか否かに関わらず、第一の端末が第二の端末を逆方向充電する逆方向充電電流値は従来の逆方向充電電流値よりも大きい。
【００７６】
本開示の別の実施例では、動的充電電力検出と回復機構をサポートしない第二の端末に対して、第二の端末によって取得された逆方向充電電流値が第一の電流値に達するために、ＯＴＧパッチコードに対して一回の抜差し操作を行うことができ、ＯＴＧパッチコードに対して一回の抜差し操作が検出された場合、第一の端末は第一の電流値を使用して第二の端末を逆方向充電する。
【００７７】
図４は本開示の実施例による逆方向充電電流調整プロセスの概略図であり、該調整プロセスが以下のステップを含むことができる。
【００７８】
１、充電携帯電話に対して、ＳＤＰポートにＯＴＧパッチコードが差し込まれる場合、充電携帯電話と被充電携帯電話はＯＴＧパッチコードを介して接続を確立する。
【００７９】
２、充電携帯電話側で５ｖ電源を使用してＴＰＳ２５４７チップに電力を供給し、これによりＵＳＢ変換チップの入力に電力を供給し、ＴＰＳ２５４７の所在する第一のリンクに切り替え、さらにプロセッサ、ＴＰＳ２５４７及びＳＤＰポートが連携し、充電携帯電話をＳＤＰ携帯電話からＣＤＰ携帯電話に変換する。
【００８０】
３、充電携帯電話は一つの放電電流のカーネル作業キューを維持し、該カーネル作業キューがｉｂａｔであり、充電携帯電話は放電電流ｉｂａｔを定期的にチェックし、該チェック周期が１０秒である。
【００８１】
４、総電流値がプリセット電流値を１分間超え続けることを監視した場合、該プリセット電流値がバッテリ規格書に規定された最大定格電流から５０ｍＡを減算したものであり、該５０ｍＡがＡＤＣの精度である場合、第一の端末は電流出力能力を調整し、出力された逆方向充電電流値を１．５Ａから１Ａに小さくし、そうでない場合、監視し続ける。
【００８２】
５、充電携帯電話は放電電流ｉｂａｔを監視し、放電電流ｉｂａｔがプリセット電流値を２分間超え続ける場合、第一の端末は電流出力能力を調整し、出力された逆方向充電電流値を１Ａから０．７５Ａに小さくする。
【００８３】
６、充電携帯電話は放電電流ｉｂａｔを監視し、放電電流ｉｂａｔがプリセット電流値を２分間超え続ける場合、第一の端末は第二の端末への逆方向充電を停止し、第一の端末の電池を保護する。
【００８４】
７、第二の端末を逆方向充電する過程において、逆方向充電電流の制限を超え、且つ逆方向充電電流が１分間ずっと２．４Ａ未満である場合、最大逆方向充電電流１．５Ａを回復する。
【００８５】
本開示の実施例による方法では、第二の端末を逆方向充電する過程において、第一の端末の総電流値をリアルタイムに取得し、そして総電流値と電池の定格電流値との関係に応じて、逆方向充電電流を調整し、充電安全を保証しながら電池の耐用年数を延長する。
【００８６】
図５は一つの例示的な実施例による逆方向充電電流調整方法の概略図であり、該装置が逆方向充電装置を備えた第一の端末に設置される。図５を参照すると、該装置は取得モジュール５０１、比較モジュール５０２及び調整モジュール５０３を備える。
【００８７】
該取得モジュール５０１はＯＴＧパッチコードによって第二の端末を逆方向充電する過程において、総電流値を取得するように構成され、総電流値が逆方向充電電流値と第一の端末内のアプリケーションプログラムが実行される時に消費した電流値を含む。
【００８８】
該比較モジュール５０２は総電流値をバッテリの定格電流値と比較するように構成される。
【００８９】
該調整モジュール５０３は総電流値がプリセット期間内で、常に定格電流値よりも大きい場合、逆方向充電電流値を小さくするように構成される。
【００９０】
本開示の別の実施例では、該調整モジュール５０３は総電流値が第一のプリセット期間内で、常に定格電流値よりも大きい場合、逆方向充電電流値を第一の電流値から第二の電流値に小さくするように構成され、第一の電流値が第二の端末を逆方向充電する初期電流値であり、第一の電流値が第二の電流値より大きい。
【００９１】
本開示の別の実施例では、該調整モジュール５０３は総電流値が第二のプリセット期間内で、常に定格電流値より大きい場合、逆方向充電電流値を第二の電流値から第三の電流値に小さくするように構成され、第二の電流値が第三の電流値より大きい。
【００９２】
本開示の別の実施例では、該調整モジュール５０３は総電流値が第三のプリセット期間内で、常に定格電流値より大きい場合、第二の端末への逆方向充電を停止するように構成される。
【００９３】
本開示の別の実施例では、該調整モジュール５０３は総電流値が第四のプリセット期間内で、常に指定された電流値よりも小さい場合、第一の電流値を使用して第二の端末を逆方向充電するように構成され、第一の電流値が第二の端末を逆方向充電する初期電流値である。
【００９４】
本開示の別の実施例では、該調整モジュール５０３はＯＴＧパッチコードに対する一回の抜差し操作が検出された場合、第一の電流値を使用して第二の端末を逆方向充電するように構成され、第一の電流値が第二の端末を逆方向充電する初期電流値である。
【００９５】
本開示の実施例による装置では、第二の端末を逆方向充電する過程において、第一の端末装置の総電流値をリアルタイムに取得し、そして総電流値とバッテリの定格電流値との関係に応じて、逆方向充電電流を調整し、充電安全を確保しながらバッテリの耐用年数を延長する。
【００９６】
上記実施例における装置では、各モジュールが操作を実行する具体的な方式は既に該方法に関連する実施例で詳細に説明され、ここで詳細な説明を省略する。
【００９７】
図６は一つの例示的な実施例による逆方向充電電流調整装置６００のブロック図である。例えば、装置６００は携帯電話、コンピュータ、デジタル放送端末、メッセージ送受信デバイス、ゲームコンソール、タブレットデバイス、医療デバイス、フィットネスデバイス、パーソナルデジタルアシスタントなどであってもよい。
【００９８】
図６を参照すると、装置６００は処理コンポーネント６０２、メモリ６０４、電源コンポーネント６０６、マルチメディアコンポーネント６０８、オーディオコンポーネント６１０、入力／出力（Ｉ／Ｏ）インタフェース６１２、センサーコンポーネント６１４及び通信コンポーネント６１６の一つ又は複数を備える。
【００９９】
処理コンポーネント６０２は通常装置６００の全体操作、例えば表示、電話コール、データ通信、カメラ操作と記録操作に関連する操作を制御する。処理コンポーネント６０２は一つ又は複数のプロセッサ６２０を含んで命令を実行し、上記の方法の全て又は一部のステップを完了することができる。また、処理コンポーネント６０２と他のコンポーネントとのインタラクションが容易になるように、処理コンポーネント６０２は一つ又は複数のモジュールを含むことができる。例えば、マルチメディアコンポーネント６０８と処理コンポーネント６０２とのインタラクションが容易になるように、処理コンポーネント６０２は複数のマルチメディアモジュールを含むことができる。
【０１００】
メモリ６０４は装置６００の操作をサポートするために様々なタイプのデータを記憶するように構成される。これらのデータの例は装置６００で動作するように構成されるいかなるアプリケーションプログラム又は方法の命令、電話帳データ、メッセージ、ピクチャー、ビデオなどを含む。メモリ６０４は、いかなるタイプの揮発性又は不揮発性ストレージデバイス又はそれらの組み合わせで実現されてもよく、例えばスタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクである。
【０１０１】
電源コンポーネント６０６は装置６００の様々なコンポーネントに電力を供給する。電源コンポーネント６０６は電源管理システム、一つ又は複数の電源、及び装置６００のための電力の生成、管理及び割り当てに関連する他のコンポーネントを含むことができる。
【０１０２】
マルチメディアコンポーネント６０８は前記装置６００とユーザの間の出力インタフェースを供給するスクリーンを含む。いくつかの実施例では、スクリーンは液晶ディスプレイ（ＬＣＤ）及びタッチパネル（ＴＰ）を含むことができる。スクリーンがタッチパネルを含む場合、スクリーンは、ユーザからの入力信号を受信するようにタッチスクリーンとして実現されてもよい。タッチパネルは、タッチ、スライドとタッチパネル上のジェスチャをセンシングするように一つ又は複数のタッチセンサーを含む。前記タッチセンサーはタッチ又はスライド動作の境界をセンシングすることだけでなく、前記タッチ又はスライド動作に関連する持続時間及び圧力を検出することができる。いくつかの実施例では、マルチメディアコンポーネント６０８は一つのフロントカメラ及び／又はリアカメラを含む。装置６００が動作モード、撮影モード又はビデオモードにある場合、フロントカメラ及び／又はリアカメラは外部のマルチメディアデータを受信することができる。各フロントカメラとリアカメラは一つの固定された光学レンズシステムであってもよく、又は焦点距離及び光学ズームを有する。
【０１０３】
オーディオコンポーネント６１０はオーディオ信号を出力及び／又は入力するように構成される。例えば、オーディオコンポーネント６１０は一つのマイク（ＭＩＣ）を含み、装置６００が動作モード、例えばコールモード、記録モードと音声識別モードにある場合、マイクは外部オーディオ信号を受信するように構成される。受信されたオーディオ信号はさらにメモリ６０４に記憶されてもよく、又は通信コンポーネント６１６を介して送信されてもよい。いくつかの実施例では、オーディオコンポーネント６１０はさらにオーディオ信号を出力するように構成されるスピーカーを含む。
【０１０４】
Ｉ／Ｏインタフェース６１２は処理コンポーネント６０２と周辺インターフェースモジュールの間のインタフェースを供給し、上記周辺インタフェースモジュールがキーボード、クリックホイール、ボタンなどであってもよい。これらのボタンはホームボタン、音量ボタン、開始ボタン、ロックボタンを含むがこれらに限定されない。
【０１０５】
センサーコンポーネント６１４は装置６００に各方面の状態評価を供給するように構成された一つ又は複数のセンサーを含む。例えば、センサーコンポーネント６１４は、装置６００のオープン／オフ状態、コンポーネントの相対的な位置決め、例えば前記コンポーネントが前記装置６００のディスプレイとキーパッドであることを検出することができ、センサーコンポーネント６１４はさらに装置６００又は装置６００の一つのコンポーネントの位置変化、ユーザと装置６００の接触の有無、装置６００の方位又は加速／減速と装置６００の温度変化を検出することができる。センサーコンポーネント６１４はいかなる物理的接触がない時に近くの物体の存在を検出するように構成された近接センサを含むことができる。センサーコンポーネント６１４はさらに光センサー、例えばイメージングアプリケーションで使用するように構成されたＣＭＯＳ又はＣＣＤ画像センサーを含むことができる。いくつかの実施例では、該センサーコンポーネント６１４はさらに加速度センサー、ジャイロセンサー、磁気センサー、圧力センサー又は温度センサーを含むことができる。
【０１０６】
通信コンポーネント６１６は装置６００と他の装置の間の有線又は無線方式の通信を容易にするように構成される。装置６００は通信規格に基づく無線ネットワーク、例えばＷｉＦｉ、２Ｇ又は３Ｇ又はそれらの組み合わせにアクセスすることができる。一つの例示的な実施例では、通信コンポーネント６１６はブロードキャストチャネルを介して外部ブロードキャスト管理システムからのブロードキャスト信号又はブロードキャスト関連情報を受信する。一つの例示的な実施例では、前記通信コンポーネント６１６はさらに近距離通信を推進するための近距離通信（ＮＦＣ）モジュールを含む。例えば、ＮＦＣモジュールはＲＦ識別（ＲＦＩＤ）技術、赤外線データ協会（ＩｒＤＡ）技術、超広帯域（ＵＷＢ）技術、ブルートゥース（登録商標）（ＢＴ）技術と他の技術に基づいて実現されてもよい。
【０１０７】
例示的な実施例では、装置６００は一つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又は他の電子素子によって実現されてもよく、上記方法を実行するように構成される。
【０１０８】
例示的な実施例では、命令を含む非一時的コンピュータ可読記憶媒体、例えば命令を含むメモリ６０４が提供され、上記命令が装置６００のプロセッサ６２０によって実行されて上記方法を完了することができる。例えば前記非一時的コンピュータ可読記憶媒体はＲＯＭ、ＣＤ−ＲＯＭ、磁気テープ、フロッピーディスクと光学データ記憶装置などであってもよい。
【０１０９】
非一時的コンピュータ可読記憶媒体では、前記記憶媒体での命令が移動端末のプロセッサによって実行される場合、移動端末は逆方向充電電流調整方法を実行することができる。
【０１１０】
当業者は本明細書を考慮してここで開示開示された技術的解決策を実施した後、本開示の実施例の他の実施形態を容易に想到する。本出願は本開示の実施例のいかなる変形、用途又は適応変化を包含することを意図し、これらの変形、用途又は適応変化が本開示の実施例の一般的な原理に従い且つ本開示の実施例で開示されない本技術分野における公知常識又は慣用技術手段を含む。明細書と実施例が単なる例示的なものとみなし、本開示の実施例の真の範囲及び精神は以下の請求項によって指摘される。
【０１１１】
理解すべきものとして、本開示の実施例は以上に説明され且つ図面に示された正確な構造に限定されなく、そしてその範囲から逸脱することなく様々な変更及び変形を行うことができる。本開示の実施例の範囲は添付の特許請求の範囲のみによって限定される。
【産業上の利用可能性】
【０１１２】
本開示の実施例による技術的解決策では、第一のリンクにＣＤＰインタフェースチップを設置することにより、ＯＴＧパッチコードがＳＤＰポートに差し込まれる時に、プロセッサ、ＣＤＰインタフェースチップ及びＳＤＰポートが連携してＣＤＰポートを構成する。ＣＤＰポートは、電流伝送能力がＳＤＰポートより高いため、出力された逆方向電流値は従来の逆方向充電装置よりも大きい。
【図１】
2020530749.tif 000003
【図２】
2020530749.tif 000004
【図３】
2020530749.tif 000005
【図４】
2020530749.tif 000006
【図５】
2020530749.tif 000007
【図６】
2020530749.tif 000008
【国際調査報告】
2020530749.tif 000009
2020530749.tif 000010
2020530749.tif 000011
2020530749.tif 000012